(57)【要約】【課題】表示パネルを用いた電子部品、電子機器、及び文字板において、興趣性に富むデザインを実現可能とし、装飾性の向上を図る。【解決手段】アナログ指針２１、２２、２３を備えた腕時計１の文字板に、アナログ指針２１、２２、２３の駆動範囲に重なる領域で画像を表示する表示部５を配した構成において、表示部５は、表示保存性を有する表示パネル５１と、表示パネルに重ねて配設され、表示パネルの表示状態を視認可能に透過させる装飾部材５２とを備える。【選択図】図２
2007256062.tif 000002
【特許請求の範囲】
【請求項１】
表示保存性を有する表示パネルと、
前記表示パネルに重ねて配設され、前記表示パネルの少なくとも一部における表示状態を視認可能に透過させる装飾体と、
を備えたことを特徴とする電子部品。
【請求項２】
前記装飾体の表面には立体的形状が形成されたことを特徴とする請求項１記載の電子部品。
【請求項３】
前記装飾体の表面の少なくとも一部に、斜度の異なる複数の斜面からなる凹部が形成されたことを特徴とする請求項１または２記載の電子部品。
【請求項４】
前記装飾体は板状部材であることを特徴とする請求項１乃至３のいずれかに記載の電子部品。
【請求項５】
前記表示パネルは、電気泳動表示パネルであることを特徴とする請求項１乃至４のいずれかに記載の電子部品。
【請求項６】
画像を表示する表示部と、この表示部の表示領域上で駆動されるアナログ指針とを備える電子機器において、
前記表示部は、
表示保存性を有する表示パネルと、
前記表示パネルに重ねて配設され、前記表示パネルの少なくとも一部における表示状態を視認可能に透過させる装飾体と、を備えて構成されたこと、
を特徴とする電子機器。
【請求項７】
前記電子機器は、前記アナログ指針により時刻を表示する時計として構成されていることを特徴とする請求項６記載の電子機器。
【請求項８】
アナログ指針を備えた時計の文字板であって、
前記アナログ指針の駆動範囲に重なる領域で画像を表示する表示部を有し、
前記表示部は、
表示保存性を有する表示パネルと、
前記表示パネルに重ねて配設され、前記表示パネルの少なくとも一部における表示状態を視認可能に透過させる装飾体と、を備えて構成されたこと、
を特徴とする文字板。
【請求項９】
呈色状態が変化するとともに、その呈色状態を保持する表示保存性を有する表示層と、この表示層の表示側の面を覆う透明層と、を備えた表示パネルを具備し、
前記表示パネルの透明層に、立体的形状が形成されたこと、
を特徴とする電子部品。
【発明の詳細な説明】
【技術分野】
【０００１】
本発明は、電子部品、電子機器、及び、時計等に用いられる文字板に関する。
【背景技術】
【０００２】
従来、表示パネルを搭載した腕時計等の電子機器においては、表示パネルの視認性を高めるための様々な工夫がなされてきた（例えば、特許文献１参照）。
【特許文献１】特開平６−１８０３７７号公報
【発明の開示】
【発明が解決しようとする課題】
【０００３】
ところで、液晶表示パネルをはじめとする平面表示パネルの多くは、その表示が極めて平面的に感じられるという特徴がある。このため、表示パネルを含む部分に種々の装飾を施しても、質感や高級感を演出することは非常に難しいという問題があった。
本発明は、上述した事情に鑑みてなされたものであり、表示パネルを用いた電子部品、電子機器、及び文字板において、興趣性に富むデザインを実現可能とし、装飾性の向上を図ることを目的とする。
【課題を解決するための手段】
【０００４】
上記課題を解決するため、本発明は、表示保存性を有する表示パネルと、前記表示パネルに重ねて配設され、前記表示パネルの少なくとも一部における表示状態を視認可能に透過させる装飾体と、を備えたことを特徴とする電子部品を提供する。
上記構成によれば、表示保存性を有する表示パネルに装飾体が重ねられているので、表示パネルに表示された画像の少なくとも一部が、装飾体を介して立体的に浮き上がって視認され、立体的な表示感を実現できる。また、装飾体の性状（透明度、屈折率、色、表面形状、表面の可視光線反射率等）を変えることで画像の見え方を変化させることができ、デザイン面の自由度が大幅に向上する。さらに、表示パネルに表示する画像を変化させれば、この変化の様子が装飾体を介して立体的に見えるので、興趣性に富む表示を実現できる。加えて、表示パネルの表示にメリハリを付けることができ、表示パネルにおける一部の表示をハイライトする等して特定の表示部位に意味づけをすることも可能となる。
【０００５】
上記構成において、前記装飾体の表面には立体的形状が形成されたものとしてもよい。この場合、表示パネルに表示された画像が、装飾体越しに、より立体的に見える。さらに、装飾体の立体的形状、及び装飾体を見る角度によって画像の見え方が大きく変化するので、興趣性及び装飾性をより一層高めることができる。特に、装飾体の表面の立体的形状によって、表示パネルの表面とは全く異なる様々な質感や素材感を演出できる。
また、前記装飾体の表面の少なくとも一部に、斜度の異なる複数の斜面からなる凹部が形成された構成としてもよい。この場合、凹部を構成する複数の斜面の斜度が異なることにより、この凹部を見る向き及び角度（俯角）によって画像の見え方が大きく変化するので、興趣性をより一層高めることができる。
さらに、前記装飾体は板状部材としてもよい。この場合、装飾体と表示パネルの一体感を演出して、装飾体による視覚的効果が顕著に現れ、また、組立工程における容易性が高まるという利点がある。
また、前記表示パネルは、電気泳動表示パネルとしてもよい。この場合、例えば表示パネルに表示された画像を切り替える際の色の変化速度を遅くし、濃淡の変化を生じさせる等、電気泳動表示パネルに特有の表示変化をさせることで、表示変化を立体的に強調でき、より興趣性に富む表示を実現できる。さらに、電気泳動表示パネルは屈曲可能な可撓性のパネルとすることが容易であり、装飾体による装飾効果と合わせて、デザインの自由度が極めて高く、装飾性に富む電子部品を実現できる。
【０００６】
また、上記課題を解決するため、本発明は、画像を表示する表示部と、この表示部の表示領域上で駆動されるアナログ指針とを備える電子機器において、前記表示部は、表示保存性を有する表示パネルと、前記表示パネルに重ねて配設され、前記表示パネルの少なくとも一部における表示状態を視認可能に透過させる装飾体と、を備えて構成されたこと、を特徴とする電子機器を提供する。
上記構成によれば、表示パネルの少なくとも一部における表示が装飾体を介して立体的に浮き上がって視認されるので、アナログ指針の下に立体的かつ興趣性に富む表示をさせることができ、電子機器の装飾性の向上をも図ることができる。さらに、電子機器における表示状態にメリハリを付けることができ、一部の表示をハイライトする等して特定の表示部位に意味づけをすることも可能となる。
また、前記電子機器は、前記アナログ指針により時刻を表示する時計として構成されたものとしてもよい。この場合、アナログ指針の下に立体的かつ興趣性に富む表示を行い、装飾性に富む時計を提供できる。
【０００７】
また、上記課題を解決するため、本発明は、アナログ指針を備えた時計の文字板であって、前記アナログ指針の駆動範囲に重なる領域で画像を表示する表示部を有し、前記表示部は、表示保存性を有する表示パネルと、前記表示パネルに重ねて配設され、前記表示パネルの少なくとも一部における表示状態を視認可能に透過させる装飾体と、を備えて構成されたこと、を特徴とする文字板を提供する。この文字板を用いれば、アナログ指針の下に立体的かつ興趣性に富む表示を行い、装飾性に富む時計を実現できる。また、文字板の外観にメリハリを付けることができ、一部の表示をハイライトする等して特定の表示部位に意味づけをすることも可能となる。
【０００８】
また、上記課題を解決するため、本発明は、呈色状態が変化するとともに、その呈色状態を保持する表示保存性を有する表示層と、この表示層の表示側の面を覆う透明層と、を備えた表示パネルを具備し、前記表示パネルの透明層に、立体的形状が形成されたこと、を特徴とする電子部品を提供する。
この構成によれば、表示パネルの透明層に立体的形状が形成されているので、表示パネルに表示された画像が立体的に見え、さらに、透明層の立体的形状、及び表示パネルを見る角度によって画像の見え方が大きく変化するといった視覚的効果が得られ、興趣性及び装飾性の高い電子部品を実現できる。また、表示を行う表示層と、立体的形状を設けた透明層とが近接しているので、立体的形状による視覚的効果が顕著に現れるという利点がある。
【発明の効果】
【０００９】
本発明によれば、表示パネルの表示が装飾体を介して立体的に浮き上がって視認されるので、立体的な表示感を実現でき、興趣性に富み、優れた装飾性を有する電子部品、電子機器、及び時計の文字板を提供できる。
【発明を実施するための最良の形態】
【００１０】
以下、図面を参照して本発明の実施形態について説明する。
［第１の実施形態］
図１は、本発明の第１の実施形態に係る腕時計１の正面図であり、図２はこの腕時計１の側断面図である。この腕時計１は、時計ケース２と、この時計ケース２に連結された一対のバンド３とを備えている。時計ケース２は、ステンレス等の金属材又はプラスチック樹脂等の樹脂材で形成され、その内部に、図２に示すように、ムーブメント４と、文字板を構成する表示部５とを収容する貫通孔２Ａが形成されている。
この時計ケース２の貫通孔２Ａの一端側（時計正面側）には、樹脂製又は金属製の圧入リング６を介して、ガラス製又は樹脂製の透明カバー７が圧入固定されている。また、貫通孔２Ａの他端側（時計裏側）には、パッキン８を介して裏蓋９が螺合され、この裏蓋９及び透明カバー７によって時計ケース２の内部の密封性が確保されている。
また、時計ケース２には、図１に示すように竜頭１０と操作ボタン１１とが設けられている。竜頭１０は、ムーブメント４内の巻真（図示略）及び時刻修正車（図示略）を介して後述する運針機構２０に連結され、その回転操作によって時刻修正車が回転し、分針２２及び時針２３が回転して時刻が修正される。
【００１１】
ムーブメント４は、図３に示すように、秒針２１、分針２２及び時針２３が連結された運針機構２０を備え、この運針機構２０がこれらアナログ指針２１〜２３を回転駆動することにより、現在時刻を表示する時刻表示部として機能する。この運針機構２０は、秒車２４、２番車２５及び筒車２６が互いに連動するように中間車２７、２８を介して連結された歯車輪列２９を有し、秒車２４の回転軸には秒針２１の一端が取り付けられ、２番車２５の回転軸には分針２２の一端が取り付けられ、また、筒車２６の回転軸には時針２３の一端が取り付けられる。そして、秒車２４には、駆動モータ３０の駆動歯車３０Ａが噛み合い、この駆動モータ３０の回転によって秒車２４が回転駆動され、この回転が２番車２５及び筒車２６に伝達されて、秒針２１、分針２２及び時針２３の各々が回転駆動され、これら針２１〜２３によって時刻が表示される。
なお、図３においては、説明の便宜上、秒車２４、２番車２５及び筒車２６を離して図示しているが、実際には、図１に示すように同軸上に配列されている。
【００１２】
電子部品としての表示部５は、図２に示すように、上記ムーブメント４の時計正面側に配設されている。この表示部５は、表示パネル５１と、装飾体としての装飾部材５２とが重ねて配設された構成を有する。表示パネル５１の中央には貫通孔５１Ａが形成され、装飾部材５２の中央には貫通孔５２Ａが形成されており、これら貫通孔５１Ａ、５２Ａから、上記ムーブメント４の秒車２４、２番車２５及び筒車２６の各軸が突出し、この軸の先端に秒針２１、分針２２及び時針２３が取り付けられている。
表示パネル５１としては、表示保持性を有する電気泳動表示パネルが適用され、この表示パネル５１により文字及び模様を含む各種の画像（以下、単に画像と呼ぶ）が表示される。以下、表示パネル５１をセグメント表示パネルで構成した場合を説明する。
表示パネル５１は、図４に示すように、電気泳動層３１を挟んで対向配置された実装基板３２と透明基板３３とを備えている。実装基板３２には、その上面（透明基板３３側の面）にセグメント電極ＤＡが配置され、透明基板３３には、その下面（実装基板３２側の面）に、ＩＴＯ（Indium-Tin Oxide）蒸着等で形成された透明の共通電極ＤＢが設けられ、各電極ＤＡ、ＤＢには、表示駆動回路３６が接続されている。
【００１３】
上記電気泳動層３１は、複数のマイクロカプセル３４から構成され、これらマイクロカプセル３４には、電気泳動粒子３５が混合された電気泳動分散液３７が封入されている。この電気泳動粒子３５には、例えば、プラス極性に帯電した青粒子が適用され、電気泳動分散液３７が白色に着色されることにより、いわゆる１粒子系の電気泳動層が構成されている。
従って、表示駆動回路３６により共通電極ＤＢが０Ｖ電位（アース電位）とされると共に、所定の電極ＤＡにプラス電圧の駆動電圧が供給されてプラス電位とされた場合、セグメント電極ＤＡから共通電極ＤＢに向かう電界が発生し、マイクロカプセル３４内のプラスに帯電した電気泳動粒子（青粒子）３９が共通電極ＤＢ側に移動し、これに伴って、白色の電気泳動分散液３７がセグメント電極ＤＡ側に移動する。この結果、透明基板３３側から視認されるマイクロカプセル３４が青色を呈するため、セグメントが青を表示する。
【００１４】
これとは逆に、表示駆動回路３６により共通電極ＤＢがプラス電位とされると共に、所定のセグメント電極ＤＡが０Ｖ電位に保持された場合には、プラスに帯電した電気泳動粒子（青粒子）３９がセグメント電極ＤＡ側に移動し、これに伴って、白色の電気泳動分散液３７が共通電極ＤＢ側に移動するため、結果として、透明基板３３側から視認されるマイクロカプセル３４が白色を呈し、セグメントが白を表示する。また、共通電極ＤＢとセグメント電極ＤＡとの間に電位差を生じない場合には、電気泳動粒子（青粒子）３２の移動が生じないため、セグメントの表示色は変化せずに以前の状態が維持される。
なお、本実施形態では、表示駆動回路３６が昇圧回路を内蔵し、電源から供給される電圧（例えば３Ｖや１．５Ｖ）を昇圧して＋１２Ｖの電圧を生成して、この＋１２Ｖの電圧、或いは、０Ｖの電圧を駆動電圧としてセグメント電極ＤＡ及び共通電極ＤＢに印加している。
【００１５】
図５は、腕時計１の電気的構成を示す図である。
発振回路４１は、振動子４２を発振させて例えば３２ｋＨｚの基準クロック信号ＣＬ０を出力し、分周回路４３は、基準クロック信号ＣＬ１を例えば１Ｈｚまで分周し、１Ｈｚのクロック信号ＣＬ１を制御回路４５に出力する。モータ駆動回路４４は、制御回路４５の制御の下、駆動モータ３０に駆動信号ＳＫを供給することにより、上記運針機構２０を駆動させ、秒針２１、分針２２及び時針２３を回転駆動させる。
【００１６】
制御回路４５は、この腕時計１全体を中枢的に制御するものであり、ＣＰＵ、ＲＯＭ、ＲＡＭ等を有し、ＣＰＵがＲＯＭに記憶された制御プログラムを実行することにより、腕時計１の各部を制御する。この制御回路４５は、ソフトウェア処理或いはハードウェア（カウンタ等）により、上記分周回路４３から出力された所定周波数の信号を計数して暦（時刻を計時してよい）を計時する計時手段を備え、暦を表示させる場合は、暦情報を画像メモリ４６に書き込むことによって、表示駆動回路３６により表示パネル５１に画像を表示させる。
操作検出部４７は、操作ボタン１１の操作を検出して制御回路４５に通知するものである。この操作検出部４７により検出される操作ボタン１１の操作に応じて、制御回路４５は、表示パネル５１により表示する画像を切り替える等の制御を行う。
【００１７】
また、この腕時計１は、秒針２１、分針２２及び時針２３の位置を検出する針位置検出部４８を備えており、この針位置検出部４８により各アナログ指針２１〜２３の回転位置が制御回路４５に通知される。ここで、この針位置検出部４８の回転量検出は、回転検出器（ロータリーエンコーダ）を用いる方法（相対方式、絶対方式（時針２３の回転を８６４００又は４３２００分割、時針２３を２４分割又は１２分割、分針２２を６０分割、秒針２１を６０分割して回転位置を得る））、或いは、アナログ指針２１〜２３３の回転位置を光学的或いは電気的に検知する方法（無接点方式、接点方式）が用いられる。
ここで、図５において、破線で囲まれた複数の回路（制御回路４５、発振回路４１、分周回路４３及びモータ駆動回路４４）は、同一のＩＣ（Integrated Circuit）に構成されている。また、画像メモリ４６及び表示駆動回路３６についても同一のＩＣに構成してもよく、画像メモリ４６、表示駆動回路３６及び制御回路４５を同一のＩＣに構成してもよい。また、この腕時計１には、ボタン電池等の一次電池（図示略）が内蔵され、この一次電池の電力により腕時計１が駆動される。
【００１８】
なお、針位置検出部４８は、回転検出器等を用いる構成に限らず、アナログ指針によって表示される時刻と同一の時刻を、内部カウンタを用いて計時（計数）し、この内部カウンタの値からアナログ指針の位置を検出する構成を採用してもよい。また、竜頭１０の回転操作により運針機構２０の歯車輪列２９を駆動して時刻を修正するための方式としては、竜頭１０により歯車輪列２９を直接駆動する手動方式としてもよいし、制御回路４５が竜頭１０の回転量を検出し、この回転量に対応する分だけモータ駆動回路４４により駆動モータ３０を回転駆動させる電子修正方式を用いてもよい。
【００１９】
ここで、表示部５の構成について詳述する。図６は、表示部５の構成を示す要部分解斜視図であり、図７は要部断面図であり、図８は表示パネル５１の表示状態の一例を示す図である。
上述のように、表示部５は表示パネル５１の表面（表示面）に装飾部材５２を重ねて配設した構成を有する。装飾部材５２は、アクリル、ポリカーボネート等の合成樹脂またはガラスからなる透明な板状部材であり、表示パネル５１の透明基板３３（図４）に、透明な接着剤（図示略）を用いて接着されている。
装飾部材５２の表面には、立体的形状を持たせるための凹部としての複数の溝５２Ｂが、互いに平行になるよう一方向に並べて形成されている。溝５２Ｂは、斜度及び面積の異なる２つの斜面からなる略Ｖ字型の溝である。このため、表示部５に表示された画像の見え方は、図７中に符号Ｄ１で示すように一方の斜面に対向する向きで見た場合と、同符号Ｄ２で示すように他方の斜面に対向する向きで見た場合とで、異なった見え方となる。例えば、図８に示すように表示パネル５１によって模様（この例ではゼブラ柄）を表示した場合、表示部５を表面側から見ると、この模様の一部が浮き上がるように視認される。この模様の浮き上がり方は、装飾部材５２の厚み、屈折率、溝５２Ｂの深さ、溝５２Ｂの斜面の斜度及び面積、並びに、表示部５を見る角度によって異なる。従って、平面的に見えがちな表示パネル５１の表示が立体的に見え、さらに、見る向き及び角度によって見え方が変化する。
このように、表示パネル５１に装飾部材５２を重ねて配設することにより、表示パネル５１に表示された画像が立体的に見えるようになる。さらに、装飾部材５２の表面に溝５２Ｂを形成することにより、表示部５を見る向きによって画像の見え方が変化するという特有の視覚的な効果が得られる。これにより、表示パネル５１を用いて変化に富む外観を実現でき、装飾性が大幅に高められる。
加えて、装飾部材５２により表示パネル５１の一部または全部の表示の見え方を変化させることで、表示にメリハリを付けることができる。また、表示パネル５１における一部の表示をハイライトする等して特定の表示部位に意味づけをすることも可能となる。
また、図９及び図１０に示すように、表示パネル５１に別の模様（この例ではヒョウ柄）を表示させた場合も、表示部５の表面側から見た場合は模様が浮き上がるように立体的に見え、かつ、見る向きに応じて見え方が変化する。
【００２０】
以上説明したように、本第１の実施形態に係る腕時計１によれば、文字板を構成する表示部５が、表示パネル５１に装飾部材５２を重ねた構成を有するので、表示パネル５１に表示された画像が装飾部材５２を介して立体的に浮き上がって見える。
また、装飾部材５２の表面形状や表示部５を見る角度によって、表示状態が変化して見えるとともに、表示パネル５１に表示された画像を変化させた場合には、この変化の様子が立体的に見える。これにより、興趣性に富む立体的な表示を実現できる。さらに、装飾部材５２の性状（透明度、屈折率、色、表面形状、表面の可視光線反射率等）を変化させることにより、様々な装飾効果を容易に生じさせることができ、装飾性を大幅に高めることができる。また、表示パネル５１に表示する画像を、連続的、或いは断続的に変化させることで、より一層興趣性に富む視覚的効果を演出することも可能である。
さらに、表示パネル５１の表示にメリハリを付けることができ、表示パネル５１における一部の表示をハイライトする等して特定の表示部位に意味づけをすることも可能となる。
【００２１】
そして、装飾部材５２の表面には溝５２Ｂが並べて形成されているため、表示パネル５１に表示された画像がより立体的に見えるとともに、見る角度によって画像が大きく変化するので、興趣性及び装飾性をより一層高めることができる。特に、溝５２Ｂは斜度の異なる複数の斜面により構成される凹部であるから、この複数の面の各々に、表示パネル５１に表示された画像が異なる形態で写り込むので、表示部５を見る角度によって画像が大きく変化し、興趣性の向上を図ることができる。さらに、装飾部材５２を重ねることで、表示パネル５１の表面を構成する透明基板３３とは全く異なる質感や素材感を演出できるという利点があり、装飾性に優れている。
【００２２】
また、表示パネル５１は電気泳動粒子３５を用いた電気泳動表示パネルである。従って、電気泳動表示パネルの特性を利用して、より興趣性に富む表示を実現できる。例えば、表示パネル５１においては、表示する画像を切り替える際に、セグメント電極ＤＡまたは共通電極ＤＢに電圧を印加する時間、タイミング、パルス間隔、或いは印加する電圧等を変化させることによって各セグメントの変化速度を遅くし、濃淡の変化を生じさせる等の特有の表示変化を作り出すことができる。この特有の表示変化は、装飾部材５２越しに立体的に強調されて見えるので、より興趣性に富む表示を実現できる。
表示パネル５１は電気泳動表示パネルであるから、屈曲可能な可撓性のパネルとすることが容易であり、装飾部材５２による装飾効果と合わせて、デザインの自由度が極めて高く、装飾性に富む腕時計１を実現できる。
そして、腕時計１は、アナログ指針２１、２２、２３が駆動される領域の下方で、様々な画像を立体的に表示することが可能であり、興趣性に富むとともに装飾性に優れ、多様な視覚的効果を生むデザインを施すことが可能である。
また、装飾部材５２は板状部材であるため、表示パネル５１と装飾部材５２との一体感が演出され、視覚的効果が顕著に現れ、さらに、組立工程における容易性が高まるという利点がある。
【００２３】
ここで、溝５２Ｂを構成する複数の斜面は、平滑面としてもよいし、フロスト加工によりすりガラス状にしてもよい。斜面が平滑面である場合には、外光を反射して複雑な光沢感を実現するとともに、装飾部材５２の上面とは異なった状態で表示パネル５１の表示が写り込むので、より立体的で変化に富む表示を行える。また、斜面がすりガラス状の場合には、表示パネル５１に表示された画像がぼやけて写り込むので、装飾部材５２の上面の表示を際だたせる効果が得られる。
【００２４】
なお、上記第１の実施形態において、溝５２Ｂは、対向する垂直面と曲面からなる略Ｕ字形状としてもよいし、或いは、３以上の斜面からなる溝としてもよく、斜面と垂直面や水平面とを組み合わせた形状の溝であってもよい。
また、上記第１の実施形態においては、装飾部材５２の表面には溝５２Ｂが一方向に並べて形成されたものとして説明したが、本発明はこれに限定されるものではなく、例えば、装飾部材５２の表面に縦横に交差する溝を形成してもよい。以下、この場合について第２の実施形態として説明する。
【００２５】
［第２の実施形態］
図１１は、本発明を適用した第２の実施形態における表示部５の構成を示す要部分解斜視図であり、図１２は要部断面図であり、図１３は表示部５の見え方の一例を示す平面図である。
本第２の実施形態における装飾部材５３は、上記の装飾部材５２と同様に表示パネル５１の表面に重ねて配設される板状部材であり、その表面には縦横に交差（この例では直交）する溝が多数形成されている。これらの溝の間隔は一定であり、装飾部材５３の表面に略四角錐台形状の切片５３Ａがマトリクス状に配置されたようになる。
【００２６】
上述したように、表示パネル５１はセグメント表示パネルである。本第２の実施形態では、複数のセグメント５１Ｂが比較的大きく、切片５３Ａとほぼ同サイズとされている。そして、セグメント５１Ｂと切片５３Ａとは位置合わせされており、各切片５３Ａの直下にセグメント５１Ｂが位置する構成となっている。
本第２の実施形態における表示部５を表面から見た場合、図１３に示すように、各切片５３Ａは、その下方のセグメント５１Ｂの表示状態（青か白か）に応じて青または白を呈色する１個の表示体として見える。すなわち、装飾部材５３の各切片５３Ａは下方に位置するセグメント５１Ｂの色を浮き上がらせて見せる効果があり、平面からなる表示パネル５１に表示された画像が、青または白の色を呈した切片５３Ａによるブロック形状の立体的な表示に見える。加えて、装飾部材５３に形成された溝、すなわち切片５３Ａの側面には下方のセグメント５１Ｂが呈する色が写り込むので、より複雑で変化に富む表示に見える。このようにして、表示部５は、立体的なセグメント表示を実現する。ここで、切片５３Ａの側面は、上述した溝５２Ｂの斜面と同様、平滑面としてもよいし、フロスト加工されたすりガラス状の面としてもよい。
なお、上記第２の実施形態においては、１個の切片５３Ａに対し１個のセグメント５１Ｂが対応する構成を例示したが、本発明はこれに限定されるものではなく、例えば、整数個のセグメント５１Ｂが１個の切片５３Ａに対応する構成としてもよいし、１個のセグメント５１Ｂが複数個の切片５３Ａに対応するサイズとなっていてもよい。
【００２７】
［第３の実施形態］
図１４は、本発明を適用した第３の実施の形態における表示部５の構成を示す要部断面図である。この図１４に示すように、表示パネル５１に、毛状の突起を多数備えた装飾部材５４を重ねて配設することも可能である。
この装飾部材５４の表面には、先端の尖った細径の毛状突起が並べて配設されている。このため、装飾部材５４の表面は毛に覆われたかのような質感を有している。この装飾部材５４を用い、表示パネル５１において上記第１及び第２の実施形態で例示したような模様（図８、図１０）を表示させれば、表示パネル５１の表面とは著しく異なる質感を実現できる。さらに、例えば図８や図１０に示した模様が所定方向に移動するかのように、表示パネル５１に表示する画像を連続的に変化させれば、生き物の動きを思わせる表示を行うことができる。このように、表示パネル５１において装飾部材の表面形状と対応するような画像を表示することで、腕時計１の文字板を、極めて興趣性に富む質感を有するものにできる。
【００２８】
また、この第３の実施の形態で例示したものに限らず、装飾部材５２、５３、５４の表面の色、質感、可視光線反射率、可視光線の透過率、凹凸状態等を適宜変化させることにより、腕時計１を様々に装飾することが可能となる。例えば、装飾部材５２、５３、５４の表面を平滑度の高い鏡面とすることで、あたかも金属のような質感を表示部５に持たせることができ、透光性を著しく損なわない程度の着色を施して金色、銀色、黒銀色等の金属光沢を有する有色の表面にすることもできる。そして、この金属光沢に適した画像を表示パネル５１に表示させることで、例えば、表示部５の表面が大きな凹凸を有するかのように錯覚させる視覚効果を実現できる。
【００２９】
［第４の実施形態］
図１５は、本発明を適用した第４の実施形態における表示部５の構成を示す要部分解斜視図であり、図１６は側面図である。
この第４の実施形態における表示部５は、表示パネル５１の表示面に重ねて、表示パネル５１よりも小さい円形の装飾部材５５を設けたものである。１個の表示パネル５１に配設される装飾部材５５の数に制限はなく、本第４の実施形態ではあくまで一例として３個の装飾部材５５を用いた場合について説明する。
装飾部材５５は、上述した装飾部材５２、５３と同様の透光性を有する板状部材である。この装飾部材５５を表示パネル５１の一部に配設することで、表示パネル５１の一部においてのみ、表示された画像が装飾部材５５を介して立体的に見え、上記第１及び第２の実施形態とは異なる視覚的効果を生み、腕時計１の装飾の新しい一手法を提供できる。
【００３０】
なお、上記第１から第４の実施形態においては、装飾部材５２、５３、５４、５５を表示パネル５１に固定する方法として、接着を例に挙げて説明したが、本発明はこれに限定されるものではない。以下、表示パネル５１における装飾部材の固定方法について説明する。
図１７から図１９の各図は、表示パネル５１における装飾部材の固定方法を説明する図である。ここで、図１７から図１９に示した装飾部材５６、５７は、上記の装飾部材５２、５３、５４、５５と同様に構成されるものである。
【００３１】
図１７に示す方法では、透明板６１を介して表面部材５６を表示パネル５１に固定する。この方法では、多数の装飾部材５６を用いる場合に、作業が失敗したときのロスを減らすことができるという利点がある。すなわち、表示パネル５１に直接装飾部材５６を貼り付けてしまうと、装飾部材５６の貼付作業に失敗した場合は表示パネル５１を含めて廃棄しなければならない。これに対して図１７の方法では、既に貼り付けた装飾部材５６及び透明板６１のみが廃棄されるので、廃棄物の量及びコストの両面で損害が小さい。
また、図１８に示すように、装飾部材５７を、予め透明板６２に設けた孔６２Ａに嵌め込み、その後に透明板６２を表示パネル５１に固定する方法を用いてもよい。この場合、装飾部材５７をより簡単かつ強固に固定できるという利点がある。さらに、装飾部材５７と表示パネル５１との間の距離が小さくなるので、装飾部材５７による視覚的効果が出やすいという利点もある。これら図１７及び図１８に示す方法で、透明板６１、６２の厚みについては特に制限はないが、透明板６１、６２が薄いほど装飾部材と表示パネル５１との間の距離が短くなり、上記のように視覚的効果が顕著になるという利点がある。
【００３２】
勿論、図１９に示すように、装飾部材５６を直接表示パネル５１に固定してもよい。
或いは、図２０に示すように、表示パネル５１の表面、すなわち透明基板３３（図４）自体に溝５８Ａを形成してもよい。この場合、図１〜図１９で説明した場合と同様に、表示された画像が立体的に見え、さらに、透明基板３３の立体的形状及び表示パネル５１を見る角度によって画像の見え方が大きく変化するといった視覚的効果が得られ、興趣性及び装飾性の高い電子部品を実現できる。加えて、図２０の構成では、画像を表示する表示パネル５１のセグメントと溝５８Ａとの間の距離が小さいので、溝５８Ａによる視覚的効果が出やすいという利点がある。
【００３３】
そして、上記第１から第４の実施の形態において、表示パネル５１と装飾部材５２、５３、５４とを固定する方法としては、装飾部材５２、５３、５４の透光性をなるべく損なわない方法であればよく、例えば、両面に粘着性を有する透明なシートにより貼り付けてもよいし、接着剤により貼り付けてもよいし、表示パネル５１と装飾部材５２、５３、５４の一方に貫通しない穴を設け、他方に穴に嵌合する突起を設けて、この突起と穴とを合わせて嵌め込む方法を用いてもよい。図１７から図１９に示す方法においても同様である。
【００３４】
なお、上述した実施形態は、あくまでも本発明の一態様を示すものであり、本発明の範囲内で任意に変形および応用が可能である。例えば、上記第１から第４の各実施形態において、装飾部材５２、５３、５４、５５、５６はいずれも透明のものとして説明したが、表示パネル５１に表示された画像を視認可能な程度の透明度を有するものであればよく、無色であってもよいし、何らかの色に着色されたものであってもよい。
すなわち、装飾部材５２、５３、５４、５５、５６は、透光性を有するものであればよく、好ましくは無色透明な板状部材が挙げられるが、有色透明のものであってもよいし、透明度が低いもの（例えば、半透明）としてもよい。また、装飾部材５２、５３、５４、５５、５６の上に、さらに別の金属等からなる部材を装飾のために載せることも可能である。
また、上記第１から第４の各実施形態において、表示パネル５１に青色の電気泳動粒子３５を用いるものとして説明したが、本発明はこれに限定されるものではなく、黒色の電気泳動粒子を用いてもよい。
【００３５】
また、例えば、上記第１から第４の各実施形態では、表示保持性を有する表示パネル５として、１粒子系の電気泳動表示パネルを適用する場合について例示したが、これに限らず、２粒子系等の電気泳動表示パネル、ツイストボール方式の表示パネル、エレクトロクロミック表示パネル、強誘電液晶パネル等の表示保持性を有する表示パネルを広く適用可能である。また、表示方式もセグメント方式に限らず、ドットマトリックス方式を適用してもよい。
また、上記第１から第４の各実施形態では、表示パネル５１が腕時計１の文字板全体を構成する場合について例示したが、文字板の一部の領域のみにおいて表示パネル５１が配設された構成としてもよい。また、この表示パネル５１と装飾部材との間にカラーフィルタを組み合わせても良い。さらに、表示パネル５１としては、剛性を有するリジッド表示パネル又は柔軟性を有するフレキシブル表示パネルのどちらを用いてもよい。
【００３６】
また、上記第１から第４の各実施形態では、表示パネル５１に表示された画像として模様を例示したが、これに限らず、年、月、曜日等の他の暦情報、アナログ指針２１〜２３が指し示す目盛り（時字を含む）、タイマー機能を具備する場合のタイマー設定値やカウント値、ストップウォッチ機能を具備する場合のスプリット値と計時値（値は数字や文字の場合と、針の形状を絵で描画する場合の両方を含む）、アラーム機能を具備する場合のアラーム設定時刻、仮想２４時針、月齢表示、バッテリー残量、方位、高度、水深、位置、温度、湿度、気圧、背景（キャラクタ表示も含む）や模様等の画像を表示するようにしてもよい。
また、上記第１から第４の各実施形態ではアナログ指針２１〜２３を備えた時計を例に挙げて説明したが、本発明はこれに限定されるものではなく、表示パネル５１により時刻を表示し、アナログ指針を備えないでデジタル時計とすることも勿論可能である。この場合、デジタル表示の上に装飾部材５２、５３、５４、５５、５６を重ねることで、時刻表示に係る視覚的効果を得ることができるので、興趣性に富み、装飾性に優れたデジタル時計を実現できる。さらにまた、アナログ指針２１〜２３に加えて、アラーム時刻を示すアラーム指針を設ける構成としてもよい。この場合、現在時刻がアラーム時刻に達した場合に、アラーム指針の下方において表示パネル５１の表示状態を変化させれば、アラーム時刻の到達を表示により報知することができる。また、アラーム指針の周囲においてのみ、表示パネル５１の表示状態が強調されるような装飾部材５２、５３、５４、５５、５６を設けてもよい。
【００３７】
さらに、上記各実施形態では、本発明を腕時計に適用する場合について述べたが、これに限らず、置時計、壁掛時計、柱時計、懐中時計等の各種時計に適用でき、また、標準時刻を示す電波（例えばＪＪＹ）を受信して時刻を修正する電波時計にも適用可能である。また、本発明を、時計に限らず、表示パネルとアナログ指針とを備える複合表示方式の電子機器に広く適用してもよい。その場合に、重ならないように表示する表示対象として、例えば、車載用パネルメータであれば速度や回転数、測定器であれば測定対象名や単位等となる。また、本発明は、上記電子機器を構成する電子部品として適用することも可能である。
また、上記実施形態では、上記電子機器が一次電池の電力で駆動する場合について例示したが、これに限らず、二次電池又は商用電源で駆動可能に構成してもよい。二次電池を使用する場合、発電装置を設け、この発電装置の発電電力により二次電池を充電可能に構成してもよい。この発電装置には、例えば、時計内に回転錘を設け、この回転錘を、ユーザの腕振り等の運動エネルギーで旋回させて発電する自動巻式発電装置、上記回転錘を竜頭等で巻上可能なゼンマイの力で旋回させて発電するゼンマイ式発電装置、ある部位と他の部位との温度差（熱エネルギー）で発電する熱発電装置、又は、ソーラ発電装置等の発電装置を広く適用可能である。
【図面の簡単な説明】
【００３８】
【図１】本発明の実施形態に係る腕時計の正面図である。
【図２】腕時計の側断面図である。
【図３】腕時計の運針機構を示す図である。
【図４】腕時計の表示パネルの構成を説明するための断面図である。
【図５】腕時計の電気的構成を示すブロック図である。
【図６】表示部の構成を示す要部分解斜視図である。
【図７】表示部の構成を示す要部断面図である。
【図８】表示部の見え方の一例を示す平面図である。
【図９】表示部の構成を示す要部断面図である。
【図１０】表示パネルに表示された画像の一例を示す平面図である。
【図１１】表示部の構成例を示す要部断面図である。
【図１２】表示部の構成例を示す要部断面図である。
【図１３】表示パネルに表示された画像の一例を示す平面図である。
【図１４】表示パネルの構成例を示す要部断面図である。
【図１５】表示部の構成例を示す要部分解斜視図である。
【図１６】表示部の構成例を示す要部側面図である。
【図１７】表示部を形成する方法の一例を示す要部側面図である。
【図１８】表示部を形成する方法の一例を示す要部側面図である。
【図１９】表示部を形成する方法の一例を示す要部側面図である。
【図２０】表示部を形成する方法の一例を示す要部側面図である。
【符号の説明】
【００３９】
１…腕時計（電子機器）、２…時計ケース、３…バンド、４…ムーブメント、５…表示部（電子部品、文字板）、１０…竜頭、１１…操作ボタン、２０…運針機構、２１…秒針（アナログ指針）、２２…分針（アナログ指針）、２３…時針（アナログ指針）、３０…駆動モータ、３１…電気泳動層、３２…実装基板、３３…透明基板、３４…マイクロカプセル、３５…電気泳動粒子、３６…表示駆動回路、４１…発振回路、４３…分周回路、４４…モータ駆動回路、４５…制御回路、４６…画像メモリ、４７…操作検出部、４８…針位置検出部、５１…表示パネル、５２、５３、５４、５５、５６、５７…装飾部材（装飾体）、５２Ｂ…溝（凹部）、６１、６２…透明板、ＤＡ…セグメント電極、ＤＢ…共通電極。
【図１】
2007256062.tif 000003
【図２】
2007256062.tif 000004
【図３】
2007256062.tif 000005
【図４】
2007256062.tif 000006
【図５】
2007256062.tif 000007
【図６】
2007256062.tif 000008
【図７】
2007256062.tif 000009
【図８】
2007256062.tif 000010
【図９】
2007256062.tif 000011
【図１０】
2007256062.tif 000012
【図１１】
2007256062.tif 000013
【図１２】
2007256062.tif 000014
【図１３】
2007256062.tif 000015
【図１４】
2007256062.tif 000016
【図１５】
2007256062.tif 000017
【図１６】
2007256062.tif 000018
【図１７】
2007256062.tif 000019
【図１８】
2007256062.tif 000020
【図１９】
2007256062.tif 000021
【図２０】
2007256062.tif 000022